(57)【要約】本発明の実施例は、端末移動状態の推定方法及び装置を提供し、端末移動状態の推定方法は、端末は受信されたネットワークトポロジ情報に基づいてハンドオーバ又はセル再選択がグループ間で起きるかグループ内で起きるかを決定するステップと、ハンドオーバ又はセル再選択がグループ間で起きる場合、端末はグループ間の大きさに基づいて前記ハンドオーバ又はセル選択について計数するステップと、ハンドオーバ又はセル再選択がグループ内で起きる場合、端末はグループ内の移動計数結果に基づいて前記ハンドオーバ又はセル選択について計数するステップと、端末は計数結果に基づいて端末の移動状態を推定するステップと、を含む。本発明の実施例の方法及び装置によれば、少ないシグナリングコストで、端末の移動状態を正確に推定できるため、推定結果がより正確になり、適用範囲がより広く、エアインタフェースシグナリングがより簡単になる。【選択図】図２
2014532337.tif 000002
【特許請求の範囲】
【請求項１】
端末は、受信されたネットワークトポロジ情報に基づいて、ハンドオーバ又はセル再選択がグループ間で起きるかグループ内で起きるかを決定するステップと、
ハンドオーバ又はセル再選択がグループ間で起きる場合、端末はグループ間の大きさに基づいて前記ハンドオーバ又はセル選択について計数するステップと、
ハンドオーバ又はセル再選択がグループ内で起きる場合、端末はグループ内の移動計数結果に基づいて前記ハンドオーバ又はセル選択について計数するステップと、
端末は、計数結果に基づいて、端末の移動状態を推定するステップと、を含む、端末移動状態の推定方法。
【請求項２】
前記グループ間の大きさは、グループ内のマクロセルの大きさ、及び端末が現在のグループ外に移動した時の現在のグループ内のグループ内計数結果のうちの最大値である、或いは、
前記グループ間の大きさは、グループ内のマクロセルの大きさと、端末が現在のグループ外に移動した時の現在のグループ内のグループ内計数結果との和である、
請求項１に記載の端末移動状態の推定方法。
【請求項３】
グループ内にマクロセルがない場合、前記グループ間の大きさは、端末が現在のグループ外に移動した時の現在のグループ内のグループ内計数結果であり、
グループ内に比較的小さなセルがない場合、前記グループ間の大きさは、グループ内のマクロセルの大きさである、
請求項２に記載の端末移動状態の推定方法。
【請求項４】
前記グループ内の移動計数結果は、端末がグループ内で移動する時にハンドオーバ又はセル再選択が行われた比較的小さなセルの計数結果である、或いは、
前記グループ内の移動計数結果は、端末がグループ内で移動する時にハンドオーバ又はセル再選択が行われた比較的小さなセルの計数結果と、グループ内のマクロセルの大きさとの和である、
請求項１に記載の端末移動状態の推定方法。
【請求項５】
グループ内にマクロセルがない場合、前記グループ内の移動計数結果は、端末がグループ内で移動する時にハンドオーバ又はセル再選択が行われた比較的小さなセルの計数結果である、
請求項４に記載の端末移動状態の推定方法。
【請求項６】
ネットワーク側により送信されたネットワークトポロジ情報を受信する受信手段と、
前記受信手段により受信されたネットワークトポロジ情報に基づいて、ハンドオーバ又はセル再選択がグループ間で起きるかグループ内で起きるかを決定する決定手段と、
ハンドオーバ又はセル再選択がグループ間で起きると前記決定手段により決定された場合、グループ間の大きさに基づいて前記ハンドオーバ又はセル選択について計数し、ハンドオーバ又はセル再選択がグループ内で起きると前記決定手段により決定された場合、グループ内の移動計数結果に基づいて前記ハンドオーバ又はセル選択について計数する計数手段と、
前記計数手段の計数結果に基づいて、端末の移動状態を推定する推定手段と、を含む、端末。
【請求項７】
前記グループ間の大きさは、グループ内のマクロセルの大きさ、及び端末が現在のグループ外に移動した時の現在のグループ内のグループ内計数結果のうちの最大値である、或いは、
前記グループ間の大きさは、グループ内のマクロセルの大きさと、端末が現在のグループ外に移動した時の現在のグループ内のグループ内計数結果との和である、
請求項６に記載の端末。
【請求項８】
グループ内にマクロセルがない場合、前記グループ間の大きさは、端末が現在のグループ外に移動した時の現在のグループ内のグループ内計数結果であり、
グループ内に比較的小さなセルがない場合、前記グループ間の大きさは、グループ内のマクロセルの大きさである、
請求項７に記載の端末。
【請求項９】
前記グループ内の移動計数結果は、端末がグループ内で移動する時にハンドオーバ又はセル再選択が行われた比較的小さなセルの計数結果である、或いは、
前記グループ内の移動計数結果は、端末がグループ内で移動する時にハンドオーバ又はセル再選択が行われた比較的小さなセルの計数結果と、グループ内のマクロセルの大きさとの和である、
請求項６に記載の端末。
【請求項１０】
グループ内にマクロセルがない場合、前記グループ内の移動計数結果は、端末がグループ内で移動する時にハンドオーバ又はセル再選択が行われた比較的小さなセルの計数結果である、
請求項９に記載の端末。
【請求項１１】
基地局は、端末がネットワークトポロジ情報に基づいてハンドオーバ又はセル再選択がグループ間で起きるかグループ内で起きるかを決定し、決定結果に基づいて前記ハンドオーバ又はセル選択について計数し、計数結果に基づいて端末の移動状態を推定するように、ブロードキャスト又はユニキャストを介して端末に前記ネットワークトポロジ情報を供給するステップ、を含む、端末移動状態の推定方法。
【請求項１２】
前記ネットワークトポロジ情報は、現在のセルの上位のセルを含む、
請求項１１に記載の端末移動状態の推定方法。
【請求項１３】
端末がネットワークトポロジ情報に基づいてハンドオーバ又はセル再選択がグループ間で起きるかグループ内で起きるかを決定し、決定結果に基づいて前記ハンドオーバ又はセル選択について計数し、計数結果に基づいて端末の移動状態を推定するように、ブロードキャスト又はユニキャストを介して端末に前記ネットワークトポロジ情報を供給する送信手段、を含む、基地局。
【請求項１４】
前記ネットワークトポロジ情報は、現在のセルの上位のセルを含む、
請求項１３に記載の基地局。
【請求項１５】
端末においてプログラムを実行する際に、コンピュータに、請求項１乃至５のいずれかに記載の端末移動状態の推定方法を前記端末において実行させるコンピュータ読み取り可能なプログラム。
【請求項１６】
コンピュータに、請求項１乃至５のいずれかに記載の端末移動状態の推定方法を端末において実行させるためのコンピュータ読み取り可能なプログラムを記録する記録媒体。
【請求項１７】
基地局においてプログラムを実行する際に、コンピュータに、請求項１１又は１２に記載の端末移動状態の推定方法を前記基地局において実行させるコンピュータ読み取り可能なプログラム。
【請求項１８】
コンピュータに、請求項１１又は１２に記載の端末移動状態の推定方法を基地局において実行させるためのコンピュータ読み取り可能なプログラムを記録する記録媒体。
【発明の詳細な説明】
【技術分野】
【０００１】
本発明は、通信システムに関し、特に移動通信システムにおいて端末の移動状態の推定方法及び装置に関する。
【背景技術】
【０００２】
無線移動通信システムでは、端末の移動性を確保するために、端末は接続モードにおいてハンドオーバ、或いはアイドルモードにおいてセルの再選択を行う必要がある。
【０００３】
接続モードでは、ハンドオーバの正確なトリガを確保するために、端末はＲＲＭ（Radio  Resource  Management：無線リソース管理）により信号品質を測定する必要がある。測定結果が所定の期間内（トリガ時間（TTT：Time  to  Trigger）と称する）に常に一定の条件（イベントのトリガ条件と称する）を満たしている場合、端末は基地局に測定結果を報告する。基地局は、測定結果に基づいて、ハンドオーバプロセスを起動するか否かを決定することができる。図１に示すように、トリガイベントを「現在のサービスセルの信号品質がある閾値よりも低いこと」と定義する場合、測定値がトリガ時間内に常にこの閾値よりも低い場合のみ、端末は基地局に測定結果を報告する。
【０００４】
このプロセスにおいては、トリガ時間及びイベントのトリガ条件はいずれもハンドオーバの成功率に影響を及ぼし得る。例えば、トリガイベントが「現在のサービスセルの信号品質がある閾値よりも低いこと」である場合、このトリガイベントは、ハンドオーバをトリガするための条件とされてもよい。サービスセルの測定報告の取得からハンドオーバのトリガまでに、ハンドオーバを実行する余分な時間が必要となるため、閾値が低すぎると、端末が測定結果を報告したにも関わらず、現在のサービスセルの信号品質が急激に悪くなる場合、後続のハンドオーバのトリガ動作を実行できなくなり、端末に電話切れ（call  drop）が発生する可能性がある。閾値が高すぎると、現在のサービスセルの信号品質が端末との通信を十分に維持できるにも関わらず、目標セルの信号品質がそれほど良くないため、端末の電話切れが発生する可能性がある。一方、トリガ時間もハンドオーバの効果に影響を及ぼし得る。トリガ時間が長すぎると、サービスセルの品質が余計に悪化し、後続のハンドオーバ操作を十分にサポートできないため、端末の電話切れが発生してしまう。トリガ時間が短すぎると、サービスセルの品質が短期間で変動して、まもなく回復する可能性があり、この際に端末が現在のサービスセルから、品質の良くない目標セルにハンドオーバを行うと、端末の電話切れが発生しやすくなる。
【０００５】
現在、トリガ時間の設定は多くの条件、例えばチャネルの静的な変化状況及び端末の速度に関連する。チャネルの静的な変化状況は、端末と基地局との間のチャネルの変化状況を指す。チャネルの変動範囲が広いと、通常、チャネルの過度な変動を平滑化するために、トリガ時間を長く設定する必要があり、一方、チャネルの変動範囲が狭くて安定していると、トリガ時間を短く設定する必要がある。端末の速度については、端末の速度が速いと、ユーザ位置の変化によるチャネルの迅速な変化を防止するために、トリガ時間を短くする必要があり、一方、端末の速度が遅いと、トリガ時間を長く設定する必要がある。
【０００６】
チャネルの静的な変化状況を判断するのは非常に困難であるため、従来のネットワークでは、一般的な状況に応ずるトリガ時間を設定し、修正する必要がある場合、端末は自分の移動状態を推定し、対応する修正因子を検索し、元のトリガ時間にこの修正因子を乗算する。通常、修正因子は１未満であり、速度が速いほど、修正因子が低い。
【０００７】
同様に、アイドルモードでは、端末は、セル再選択を行う場合、隣接する基地局を測定し、隣接するセルを再選択するか否かを判断する必要がある。全体の再選択時間内において隣接するセルの測定評価結果がいずれも現在のサービスセルよりも良い場合のみ、端末は隣接するセルを再選択する。再選択における再選択時間は、ハンドオーバにおけるトリガ時間と類似し、端末の移動状態に基づいて再選択時間を修正する必要もある。
【０００８】
また、端末がアイドルモードにある場合、サービスセルの測定評価は移動状態に関連する修正因子に基づいて修正する必要がある。速度が速い場合、修正因子が現在のサービスセルの評価に不利であり、隣接するセルを再選択させ、一方、速度が遅い場合、修正因子が現在のサービスセルの評価に有利であり、現在のセルのサービスを続けさせる。
【０００９】
しかし、従来のシステムにおいて端末の移動状態を推定する技術では、移動ルートにおけるセルの大きさ（サイズ）を考慮しないから、端末が移動する際に重複して計数したり、計数し漏れが発生したりするため、端末の移動状態の推定が不正確になってしまう。
【００１０】
以下は、本発明及び従来技術の理解を容易にするための文献を列記し、本明細書の記載と完全に同じように、本明細書に引用する。
【先行技術文献】
【非特許文献】
【００１１】
【非特許文献１】3GPP  TS  36.331  V10.2.0  (2011-06)  Radio  Resource  Control  (RRC)  specification.(Release  10)
【非特許文献２】R2-114219,  Discussion  on  mobile  state  detection  for  HetNet,  ITRI
【非特許文献３】R2-113796,  Discussion  on  enhancement  of  mobility  state  estimation,  ZTE
【００１２】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【００１３】
本発明の実施例は、簡単に実現可能な、シグナリング不可が小さくて、移動状態をより正確に推定できる端末移動状態の推定方法及び装置を提供することを目的とする。
【課題を解決するための手段】
【００１４】
本発明の実施例の一の態様では、端末は、受信されたネットワークトポロジ情報に基づいて、ハンドオーバ又はセル再選択がグループ間で起きるかグループ内で起きるかを決定するステップと、ハンドオーバ又はセル再選択がグループ間で起きる場合、端末はグループ間の大きさに基づいて前記ハンドオーバ又はセル選択について計数するステップと、ハンドオーバ又はセル再選択がグループ内で起きる場合、端末はグループ内の移動計数結果に基づいて前記ハンドオーバ又はセル選択について計数するステップと、端末は、計数結果に基づいて、端末の移動状態を推定するステップと、を含む、端末移動状態の推定方法を提供する。
【００１５】
本発明の実施例の他の態様では、ネットワーク側により送信されたネットワークトポロジ情報を受信する受信手段と、前記受信手段により受信されたネットワークトポロジ情報に基づいて、ハンドオーバ又はセル再選択がグループ間で起きるかグループ内で起きるかを決定する決定手段と、ハンドオーバ又はセル再選択がグループ間で起きると前記決定手段により決定された場合、グループ間の大きさに基づいて前記ハンドオーバ又はセル選択について計数し、ハンドオーバ又はセル再選択がグループ内で起きると前記決定手段により決定された場合、グループ内の移動計数結果に基づいて前記ハンドオーバ又はセル選択について計数する計数手段と、前記計数手段の計数結果に基づいて、端末の移動状態を推定する推定手段と、を含む、端末を提供する。
【００１６】
本発明の実施例の他の態様では、基地局は、端末がネットワークトポロジ情報に基づいてハンドオーバ又はセル再選択がグループ間で起きるかグループ内で起きるかを決定し、決定結果に基づいて前記ハンドオーバ又はセル選択について計数し、計数結果に基づいて端末の移動状態を推定するように、ブロードキャスト又はユニキャストを介して端末に前記ネットワークトポロジ情報を供給するステップ、を含む、端末移動状態の推定方法を提供する。
【００１７】
本発明の実施例の他の態様では、端末がネットワークトポロジ情報に基づいてハンドオーバ又はセル再選択がグループ間で起きるかグループ内で起きるかを決定し、決定結果に基づいて前記ハンドオーバ又はセル選択について計数し、計数結果に基づいて端末の移動状態を推定するように、ブロードキャスト又はユニキャストを介して端末に前記ネットワークトポロジ情報を供給する送信手段、を含む、基地局を提供する。
【００１８】
本発明の実施例の他の態様では、端末においてプログラムを実行する際に、コンピュータに、上記の端末移動状態の推定方法を前記端末において実行させるコンピュータ読み取り可能なプログラムを提供する。
【００１９】
本発明の実施例の他の態様では、コンピュータに、上記の端末移動状態の推定方法を端末において実行させるためのコンピュータ読み取り可能なプログラムを記録する記録媒体を提供する。
【００２０】
本発明の実施例の他の態様では、基地局においてプログラムを実行する際に、コンピュータに、上記の端末移動状態の推定方法を前記基地局において実行させるコンピュータ読み取り可能なプログラムを提供する。
【００２１】
本発明の実施例の他の態様では、コンピュータに、上記の端末移動状態の推定方法を基地局において実行させるためのコンピュータ読み取り可能なプログラムを記録する記録媒体を提供する。
【００２２】
本発明の実施例の有益な効果としては、本発明の実施例は移動通信システムにおいて端末の移動状態を推定する新たな方法を提供する。基地局は、端末にネットワークの配置情報、例えば上位セルの識別子を送信する。端末は、受信された情報に基づいて、ハンドオーバ又はセルの再選択がグループの内部に起きるかグループの間で起きるかを判断できる。グループの内部に起きる場合、端末は計数する際にグループ内の計数結果を考慮し、グループ間で起きる場合、端末は計数する際にグループ間の大きさをさらに考慮する。このような方法によれば、少ないシグナリングコストで、端末の移動状態を正確に推定できるため、推定結果がより正確になり、適用範囲がより広く、エアインタフェースシグナリングがより簡単になる。
【００２３】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２４】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２５】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００２６】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】従来技術の測定報告をトリガするタイミングを示す模式図である。
【図２】本発明の実施例に係る端末移動状態の推定方法のフローチャートである。
【図３】セル間の端末のハンドオーバを示す模式図である。
【図４】端末の移動ルートによる移動状態の推定の不正確の態様を示す模式図である。
【図５】改良方法１を用いて端末移動についての計数を示す模式図である。
【図６】改良方法２を用いて端末移動についての計数の一の態様を示す模式図である。
【図７】改良方法２を用いて端末移動についての計数の他の態様を示す模式図である。
【図８】本発明の実施例に係る基地局に適用する端末移動状態の推定方法のフローチャートである。
【図９】本発明の実施例に係る端末の構成を示す図である。
【図１０】本発明の実施例に係る基地局の構成を示す図である。
【発明を実施するための形態】
【００２７】
本発明の実施例の前述した特徴及び他の特徴は、図面を参照しながら、下記の明細書を通じて分かる。これらの実施形態は、単なる例示的なものであり、本発明を限定するものではない。
【００２８】
本発明の実施例では、説明の便宜上、端末が移動状態を推定する過程において、マクロセルとそれによってカバーされた範囲内の比較的小さなセルとを１つの「グループ」と称し、独立のマクロセル（即ち、カバーされた範囲に比較的小さなセルのないマクロセル）又は独立の比較的小さなセル（即ち、マクロセルにカバーされていない）とも１つの「グループ」と称する。ここで、マクロセルは、例えばｅＮＢ（evolved  Node  B：発展型基地局）によりカバーされたセルであってもよく、比較的な小さなセルは、例えばＲＲＨ（Remote  Radio  Head：リモート無線ヘッド）、Ｐｉｃｏ（ピコ基地局）、Ｒｅｌａｙ（リレー）、ＨｅＮＢ（Home  eNB：ホーム基地局）などによりカバーされたセルであってもよい。
【００２９】
下記の実施例１に述べるように、本発明の実施例は、端末移動状態の推定方法を提供する。
【００３０】
＜実施例１＞
図２は、本発明の実施例に係る端末移動状態の推定方法のフローチャートである。図２に示すように、該方法は以下のステップを含む。
【００３１】
ステップ２０１：端末は、受信されたネットワークトポロジ情報に基づいて、ハンドオーバ又はセル再選択がグループ間で起きるかグループ内で起きるかを決定する。
【００３２】
ステップ２０２：ハンドオーバ又はセル再選択がグループ間で起きる場合、端末はグループ間の大きさ（サイズ）に基づいてハンドオーバ又はセル選択について計数し、ハンドオーバ又はセル再選択がグループ内で起きる場合、端末はグループ内の移動計数結果に基づいてハンドオーバ又はセル選択について計数する。
【００３３】
ステップ２０３：端末は、計数結果に基づいて、端末の移動状態を推定する。
【００３４】
ステップ２０１において、基地局は、端末にハンドオーバ又はセル再選択がグループ間で起きるかグループ内で起きるかを認識させるために、端末にネットワークトポロジ情報を送信する。該ネットワークトポロジ情報は、現在のセルの上位セル、即ち自分をカバーするセルを示すものである。自分をカバーする他のセルがない場合、現在のセルの上位セルが現在のセル自身であると認識する。１つの実施例では、基地局はブロードキャスト又はユニキャストを介して端末にネットワークトポロジ情報を送信してもよい。１つの実施例では、ネットワークトポロジ情報は、上位セルの識別子をさらに含んでもよい。基地局の具体的な処理は、以下の実施例に説明される。このネットワークトポロジ情報により、端末は、ハンドオーバ又はセル再選択がグループ間で起きるか、それともグループ内で起きるかを決定できる。
【００３５】
例えば、端末がセル１からセル２にハンドオーバする場合、図３（ａ）に示すように、セル１及びセル２により報告された上位セルが共に自分であるとき、端末は該ハンドオーバがグループ間で起きると決定し、図３（ｂ）に示すように、セル１により報告された上位セルがセル１自身であり、且つセル２により報告された上位セルがセル１であるとき、端末は該ハンドオーバがグループ内で起きると決定し、図３（ｃ）に示すように、セル１により報告された上位セルがセル２であり、且つセル２により報告された上位セルがセル２自身であるとき、端末は該ハンドオーバがグループ内で起きると決定してもよい。
【００３６】
ステップ２０２において、グループ間の大きさは、グループ内のマクロセルの大きさ、及び端末が現在のグループ外に移動した時の現在のグループ内のグループ内計数結果のうちの最大値であってもよいし、グループ内のマクロセルの大きさと、端末が現在のグループ外に移動した時の現在のグループ内のグループ内計数結果との和であってもよい。ここで、グループ内にマクロセルがない場合、グループ間の大きさは、端末が現在のグループ外に移動した時の現在のグループ内のグループ内計数結果であり、グループ内に比較的小さなセルがない場合、グループ間の大きさは、グループ内のマクロセルの大きさである。
【００３７】
例えば、仮に端末が移動ルートにおいてＮ−１番目のグループ外に移動した（ここで、「Ｎ−１番目のグループ外に移動した」は、端末がＮ−１番目のグループからＮ番目のグループにハンドオーバすること、或いはＮ−１番目のグループからＮ番目のグループに再選択することを指す）場合、その計数結果はＲ（Ｎ−１）（そのうち、Ｒ（０）＝０）となり、端末がＮ番目のグループ外に移動した場合、計数結果はＲ（Ｎ）＝Ｒ（Ｎ−１）＋Ｇ（Ｎ）となり、ここで、Ｇ（Ｎ）はＮ番目のグループのグループ間の大きさである。１つの実施例では、Ｇ（Ｎ）＝ｍａｘ（グループ内のマクロセルの大きさ，ｇ（Ｎ））となり、グループ内にマクロセルがない場合、Ｇ（Ｎ）＝ｇ（Ｎ）、グループ内に比較的小さなセルがない、即ち１つのマクロセルしかない場合、Ｇ（Ｎ）＝グループ内のマクロセルの大きさ、となる。もう１つの実施例では、Ｇ（Ｎ）＝グループ内のマクロセルの大きさ＋ｇ（Ｎ）。ここで、ｇ（Ｎ）は、端末がＮ番目のグループ外に移動した時のＮ番目のグループ内の計数結果であり、グループ内にマクロセルがない場合、Ｇ（Ｎ）＝ｇ（Ｎ）、グループ内に比較的小さなセルがない、即ち１つのマクロセルしかない場合、Ｇ（Ｎ）＝グループ内のマクロセルの大きさ。
【００３８】
ステップ２０２において、グループ内の移動計数結果は、端末がグループ内で移動する時にハンドオーバ又はセル再選択が行われた比較的小さなセルの計数結果であってもよいし、端末がグループ内で移動する時にハンドオーバ又はセル再選択が行われた比較的小さなセルの計数結果とグループ内のマクロセルの大きさとの和であってもよい。ここで、グループ内にマクロセルがない場合、グループ内の移動計数結果は、端末がグループ内で移動する時にハンドオーバ又はセル再選択が行われた比較的小さなセルの計数結果である。
【００３９】
例えば、同様に、仮に端末が移動ルートにおいてＮ−１番目のグループ外に移動した（ここで、「Ｎ−１番目のグループ外に移動した」は、端末がＮ−１番目のグループからＮ番目のグループにハンドオーバすること、或いはＮ−１番目のグループからＮ番目のグループに再選択することを指す）場合、その計数結果はＲ（Ｎ−１）（そのうち、Ｒ（０）＝０）となり、端末がＮ番目のグループ内で移動した場合、計数結果はＲ（Ｎ，ｍ）＝Ｒ（Ｎ−１）＋ｇ（Ｎ，ｍ）となり、ここで、ｇ（Ｎ，ｍ）はＮ番目のグループ内のｍ番目の比較的小さなセル外に移動した時のグループ内計数結果である。１つの実施例では、ｇ（Ｎ，ｍ）は、端末がグループ内で移動する時のハンドオーバ又は再選択された比較的小さなセルのみの計数結果であり、グループ内に比較的小さなセルがない（即ち該グループが独立のマクロセルである）場合、ｇ（Ｎ，ｍ）＝ｇ（Ｎ）＝０。もう１つの実施例では、ｇ（Ｎ，ｍ）は、端末がグループ内で移動する時のハンドオーバ又は再選択された比較的小さなセルのみの計数結果＋グループ内のマクロセルの大きさとなる。ここで、ｇ（Ｎ，０）＝グループ内のマクロセルの大きさ、即ち端末がＮ番目のグループ内に移動しさえすれば、グループ内計数の初期値はマクロセルの大きさとなる。この実施例では、グループ内にマクロセルがない場合、グループ内のマクロセルの大きさはゼロとなり、前の実施例と同じになり、グループ内に比較的小さなセルがない場合、ｇ（Ｎ，ｍ）＝ｇ（Ｎ）＝マクロセルの大きさ。
【００４０】
ステップ２０２において、Ｇ（Ｎ）及びｇ（Ｎ，ｍ）により定義されたものの異なる組合わせについて、Ｇ（Ｎ）は第１種の実施形態を採用し、且つｇ（Ｎ，ｍ）は第２種の実施形態を採用する場合、Ｇ（Ｎ）＝ｇ（Ｎ）。
【００４１】
本実施例の方法及びその効果をさらに明確化するため、具体的な例を挙げて、従来の計数方法と対比して、本発明の方法及びその効果を説明する。
【００４２】
図４は、端末の移動ルートによる移動状態の推定の不正確の態様を示す模式図である。図４に示すように、従来の計数方法では、基地局が移動状態を検出させるように端末をトリガすることは、基地局がブロードキャスト（端末がアイドルモードにある場合）又はユニキャスト（端末が接続モードにある場合）を介して端末に計数時間帯、修正された計数時間帯、高閾値、中間閾値を含むトリガ時間に必要なパラメータを送信するステップ、端末が上記所定の計数時間帯においてハンドオーバ又はセル再選択の回数を計数する。計数時間が終了した時に、計数結果が高閾値よりも大きい場合、端末は自分が高速移動状態にあると判断し、計数結果が高閾値以上であり、且つ中間閾値よりも大きい場合、端末は自分が中速移動状態にあると判断し、修正された時間帯において高速移動状態及び中速移動状態いずれも検出されていない場合、端末は自分が普通移動状態にあると判断する。端末の移動状態が判断された後、端末が異なる移動状態に対応する異なるプロセス（ハンドオーバ又はセル再選択）の修正因子を予め取得しているため、端末は実際に判断された移動状態に対応する修正因子を選択し、対応するプロセスを修正することができる。
【００４３】
しかし、図４に示すように、端末はハンドオーバ又はセル再選択を計数する際に、セルの大きさ（サイズ）を考慮していない。図４において、端末は同一の速度でルート１及びルート２それぞれに沿って移動する。ルート１に沿って移動する際に、通過するセルの半径がより大きく、ハンドオーバの回数もルート２に沿って移動する際のハンドオーバよりも明らかに小さい。よって、端末は二つのルートに沿って移動する際に異なる移動状態になる可能性がある。実際のネットワークでは、各セルの大きさの差別が大きくて、ネットワークのトポロジ構造も複雑であるため、端末の移動状態を判断する際にセルの大きさを考慮しないと、このような問題をもたらすことがある。
【００４４】
上記問題を解決するために、多種の改良方法が提供されているが、各種の改良方法にそれぞれの欠点が存在し、以下は本発明の実施例に係る方法と対比しながら説明する。
【００４５】
図５は、改良方法１を用いる例である。図５に示すように、基地局はセルの加重値を府ロードキャストし、端末は受信された加重値に基づいて移動状態の判断プロセスを修正する。例えば、マクロセルの加重値が１であり、マイクロセルの加重値が０．３である場合、マクロセルから１回のハンドオーバを行う、或いは１回のセル再選択を行うとき、端末は１を加算し、マイクロセルから１回のハンドオーバを行う、或いは１回のセル再選択を行うとき、端末は０．３を加算する。このような方法において、端末の計数結果はセルの大きさ（サイズ）因子を含んでいるが、重複計数の問題、即ち予測の結果が実際の移動速度よりも速いことをもたらしてしまう。例えば、図５において、端末が破線に沿って移動する場合、図中右側からセル１に入り、セル１に初めて入った時の計数値はｍである。端末が左側でセル１外に移動した際に、端末はセル１を２回計数し、セル２及び３それぞれを１回計数し、計数結果はＲ＝ｍ＋２．６となることがわかった。一方、実際には、このプロセスにおいて、最も正確な方法として、セル１を１回計数すればよい、即ち最終的な計数結果は、Ｒ＝ｍ＋１となるはずである。
【００４６】
本発明の実施例に係る方法では、セル１〜３は１つのグループであり、そのうち、セル２及びセル３の上位セルはセル１であり、セル１の上位セルはセル１自身である。端末が左側でセル１外に移動した、即ち該グループ外に移動した際に、グループ間の移動の計数公式に基づいて計数する。セル１に入る前、即ち該グループに入る前の計数値Ｒ（Ｎ−１）はｍである。Ｇ（Ｎ）の第１種の実施形態及びｇ（Ｎ，ｍ）の第１種の実施形態を採用する場合、ｇ（Ｎ）＝ｇ（Ｎ，２）＝０．６、Ｇ（Ｎ）＝ｍａｘ（１，０．６）＝１、即ち該グループのグループ間の大きさＧ（Ｎ）は１となり、取得された該端末の計数結果はＲ（Ｎ）＝Ｒ（Ｎ−１）＋Ｇ（Ｎ）＝ｍ＋１となる。Ｇ（Ｎ）の第１種の実施形態及びｇ（Ｎ，ｍ）の第２種の実施形態を採用する場合、ｇ（Ｎ）＝ｇ（Ｎ，２）＝１＋０．６＝１．６、Ｇ（Ｎ）＝ｍａｘ（１，１．６）＝１．６、Ｒ（Ｎ）＝Ｒ（Ｎ−１）＋Ｇ（Ｎ）＝ｍ＋１．６。Ｇ（Ｎ）の第２種の実施形態及びｇ（Ｎ，ｍ）の第２種の実施形態を採用する場合、ｇ（Ｎ）＝ｇ（Ｎ，２）＝０．６、Ｇ（Ｎ）＝１＋０．６＝１．６、Ｒ（Ｎ）＝Ｒ（Ｎ−１）＋Ｇ（Ｎ）＝ｍ＋１．６。Ｇ（Ｎ）の第２種の実施形態及びｇ（Ｎ，ｍ）の第２種の実施形態を採用する場合、ｇ（Ｎ）＝ｇ（Ｎ，２）＝１．６、Ｇ（Ｎ）＝１＋１．６＝２．６、Ｒ（Ｎ）＝Ｒ（Ｎ−１）＋Ｇ（Ｎ）＝ｍ＋２．６。以上の分析から、Ｇ（Ｎ）及びｇ（Ｎ，ｍ）の異なる実施形態により、異なる計数結果となり、Ｇ（Ｎ）及びｇ（Ｎ，ｍ）は共に第２種の実施形態を採用すると、計数結果について一定の重複計数をもたらすことがあることがわかった。Ｇ（Ｎ）及びｇ（Ｎ，ｍ）は共にそれぞれの第２種の実施形態を採用しない限り、従来技術よりも好適な効果に繋がる。
【００４７】
図６及び図７は、改良方法２を採用する２つの例である。図６及び図７に示すように、該方法はネットワークにおけるマクロセルのみを計数し、他の比較的小さなセル（例えばマイクロセル、リレー基地局など）を計数しない。このように、計数されたセルの大きさが均一であるため、移動についての予測の結果は正確である。端末にマクロセルを認識させるため、下記２つの方法を用いてもよい。
【００４８】
（１）基地局の物理識別子ドメインを２つの集合に分割し、マクロセルの物理識別子はそのうち１つの独立の集合から選択し、他のセルの物理識別子はもう１つの集合から選択する。物理識別子は、移動状態の推定を行わなくても、端末が正常の通信を行うために取得される情報であるため、物理識別子ドメインの分割により、端末は「現在のセルがマクロセルであるか否か」という情報を簡単に取得できる。
【００４９】
（２）基地局は新たな情報をブロードキャストし、自分が端末により計数される必要があるか否かを示す。例えば、基地局は、１ビットの情報ビットをブロードキャストしてもよく、「１」は計数される必要があることを示し、「０」は計数されないことを示す。
【００５０】
上記２つの指示方法によれば、端末は基地局が計数される必要があるか否かを決定できる。しかし、この方法は、計数漏れの問題がある。図６において、端末の移動ルートにはいくつかの独立の比較的小さなセル（セル２及び３）があり、指示方法１を採用すると、セル２及び３は計数されない。図７において、マクロセル１のカバー範囲内にはいくつかの比較的小さなセル（セル２〜５）がある。端末がすべての計数時間帯内又は計数時間帯が終了する前のタイミングにセル１のカバー範囲内で移動する場合、方法１及び方法２のいずれかを採用しても、セル２〜５からハンドオーバを行ったことが計数されないため、計数漏れの問題が生じてしまう。計数漏れの問題が生じた場合、推定された移動状態が実際の速度よりも低いことにつながる。
【００５１】
本発明の実施例に係る方法によれば、図６の例について、各セルそれぞれは１つのグループであるため、端末の移動はグループ間の移動に属し、セル１、４について、各グループは１つのみのマクロセルを有し、セル２、３について、各グループは１つのみの比較的小さなセルを有する。本発明のグループ間の計数方法によれば、取得された端末移動の計数結果は、２つのマクロセル（セル１及びセル４）の大きさと２つの比較的小さなセル（セル３及びセル３）のグループ内計数結果との和となる。仮にセル４は計数プロセスにおいて端末が移動するＮ番目のグループである場合、Ｒ（Ｎ）＝Ｒ（ｎ−４）＋Ｇ（Ｎ−３）＋Ｇ（Ｎ−２）＋Ｇ（Ｎ−１）＋Ｇ（Ｎ）＝Ｒ（ｎ−４）＋マクロセル１の大きさ＋比較的小さなセル２の大きさ＋比較的小さなセル３の大きさ＋マクロセル４の大きさ。図７の例について、セル１〜５は１つのグループであるため、端末のセル１内の移動はグループ内の移動に属する。仮にセル１〜５の属するグループは計数プロセスにおいて端末が移動するＮ番目のグループであり、セル２〜４は端末がＮ番目のグループ内にセル外に移動する１〜３番目の比較的小さなセルである場合、本発明の実施例に係るグループ内の計数方法の第１種の計数方法によれば、取得された端末の移動の計数結果ｒ（Ｎ，３）＝Ｒ（Ｎ−１）＋ｇ（Ｎ，３）＝Ｒ（Ｎ−１）＋比較的小さなセル２の大きさ＋比較的小さなセル３の大きさ＋比較的小さなセル４の大きさ。
【００５２】
本発明の実施例は移動通信システムにおいて端末の移動状態を推定する新たな方法を提供する。基地局は、端末にネットワークの配置情報、例えば上位セルの識別子を送信する。端末は、受信された情報に基づいて、ハンドオーバ又はセルの再選択がグループの内部に起きるかグループの間で起きるかを判断できる。グループの内部に起きる場合、端末は計数する際にグループ内の計数結果を考慮し、グループ間で起きる場合、端末は計数する際にグループ間の大きさをさらに考慮する。このような方法によれば、少ないシグナリングコストで、端末の移動状態を正確に推定できるため、推定結果がより正確になり、適用範囲がより広く、エアインタフェースシグナリングがより簡単になる。
【００５３】
下記実施例２に述べるように、本発明の実施例は端末移動状態の推定方法をさらに提供する。
【００５４】
＜実施例２＞
図８は、本発明の実施例に係る基地局に適用する端末移動状態の推定方法のフローチャートである。該方法は基地局に適用する。図８に示すように、該方法は以下のステップを含む。
【００５５】
ステップ８０１：基地局は、端末がネットワークトポロジ情報に基づいてハンドオーバ又はセル再選択がグループ間で起きるかグループ内で起きるかを決定し、決定結果に基づいて前記ハンドオーバ又はセル選択について計数し、計数結果に基づいて端末の移動状態を推定するように、ブロードキャスト又はユニキャストを介して端末にネットワークトポロジ情報を供給する。
【００５６】
ここで、ネットワークトポロジ情報は、現在のセルの上位セル及びその識別子を含む。
【００５７】
本実施例では、端末にハンドオーバ又はセル再選択がグループ間で起きるかグループ内で起きるかを認識させるために、基地局は、ブロードキャスト又はユニキャストを介して端末に関連するネットワークトポロジ情報を提供してもよい。具体的には、基地局は、現在のセルの上位セル（即ち自分をカバーするセル）がどのセルであるか、例えば自分か他のセルかを端末に通知してもよい。上位セルが自分である場合、単独して報告しなくてもよく（実際には、自分の識別子は他のプロセスにおいて取得できる）、上位セルが他のセルである場合、この上位セルの識別子をさらに報告してもよい。ここで、セルの識別子は、セルの物理識別子、又は他の類型のセル識別子であってもよい。このように、端末がハンドオーバ又はセル再選択を行う際に、目標セルと原セルとは異なる上位セルを有する場合、ハンドオーバ又はセル再選択がグループ間で起きると判断し、その他の場合、ハンドオーバ又はセル再選択がグループ内で起きると判断する。そして、実施例１の方法により端末の移動状態を推定する。
【００５８】
なお、実際のネットワーク配置では、セルは、例えば２つ、３つ、又はさらに多い数の複数の上位セルによりカバーされる場合がある。ここで、上位セルは、カバー面積の最も広いものが好ましい。また、セルは他のセルにより完全にカバーされなく、一部だけがカバーされる、或いはセルは２つ又はより多くのセルにより同時にカバーされる場合があり、この際に、ネットワーク側は実際の状況に応じてグループ分けを設定してもよい。例えば、一部カバーされたセルを独立のグループと設定してもよいし、他のセルと共に１つのグループと設定してもよいし、各グループ内の上位セルも実際の状況に応じてネットワーク側により設定されてもよい。また、本発明では、セルの大きさは、セルの実際の物理的サイズ、例えば半径又は直径であってもよいし、必要に応じてネットワークにより設定された論理的大きさ、例えば加重値、セルの大きさのレベルなどであってもよい。
【００５９】
本発明の実施例の有益な効果としては、本発明の実施例は移動通信システムにおいて端末の移動状態を推定する新たな方法を提供する。基地局は、端末にネットワークの配置情報、例えば上位セルの識別子を送信する。端末は、受信された情報に基づいて、ハンドオーバ又はセルの再選択がグループの内部に起きるかグループの間で起きるかを判断できる。グループの内部に起きる場合、端末は計数する際にグループ内の計数結果を考慮し、グループ間で起きる場合、端末は計数する際にグループ間の大きさをさらに考慮する。このような方法によれば、少ないシグナリングコストで、端末の移動状態を正確に推定できるため、推定結果がより正確になり、適用範囲がより広く、エアインタフェースシグナリングがより簡単になる。
【００６０】
下記実施例３に述べるように、本発明の実施例は端末をさらに提供し、該端末の問題解決の原理と上記実施例１の方法と類似するため、該端末の実施について実施例１の実施を参照してもよく、重複する部分の説明が省略される。
【００６１】
＜実施例３＞
図９は、本発明の実施例に係る端末の構成を示す図である。図９に示すように、該端末は、受信部９１、決定部９２、計数部９３、及び推定部９４を含む。
【００６２】
受信部９１は、ネットワーク側により送信されたネットワークトポロジ情報を受信する。
【００６３】
ここで、ネットワーク側は、例えばｅＮＢなどのマクロ基地局であってもよいし、例えばＲＲＨ、Ｐｉｃｏ、Ｒｅｌａｙ、ＨｅＮＢなどの他の小さな基地局であってもよい。
【００６４】
決定部９２は、受信部９１により受信されたネットワークトポロジ情報に基づいて、ハンドオーバ又はセル再選択がグループ間で起きるかグループ内で起きるかを決定する。
【００６５】
計数部９３は、ハンドオーバ又はセル再選択がグループ間で起きると決定部９２により決定された場合、グループ間の大きさに基づいて前記ハンドオーバ又はセル選択について計数し、ハンドオーバ又はセル再選択がグループ内で起きると決定部９２により決定された場合、グループ内の移動計数結果に基づいて前記ハンドオーバ又はセル選択について計数する。
【００６６】
推定部９４は、計数手段の計数結果に基づいて、端末の移動状態を推定する。
【００６７】
１つの実施例では、グループ間の大きさは、グループ内のマクロセルの大きさ、及び端末が現在のグループ外に移動した時の現在のグループ内のグループ内計数結果のうちの最大値である。もう１つの実施例では、グループ間の大きさは、グループ内のマクロセルの大きさと、端末が現在のグループ外に移動した時の現在のグループ内のグループ内計数結果との和である。ここで、グループ内にマクロセルがない場合、グループ間の大きさは、端末が現在のグループ外に移動した時の現在のグループ内のグループ内計数結果であり、グループ内に比較的小さなセルがない場合、グループ間の大きさは、グループ内のマクロセルの大きさである。
【００６８】
１つの実施例では、グループ内の移動計数結果は、端末がグループ内で移動する時にハンドオーバ又はセル再選択が行われた比較的小さなセルの計数結果である。もう１つの実施例では、グループ内の移動計数結果は、端末がグループ内で移動する時にハンドオーバ又はセル再選択が行われた比較的小さなセルの計数結果と、グループ内のマクロセルの大きさとの和である。ここで、グループ内にマクロセルがない場合、グループ内の移動計数結果は、端末がグループ内で移動する時にハンドオーバ又はセル再選択が行われた比較的小さなセルの計数結果である。
【００６９】
本発明の実施例では、端末は、受信された情報に基づいて、ハンドオーバ又はセルの再選択がグループの内部に起きるかグループの間で起きるかを判断できる。グループの内部に起きる場合、端末は計数する際にグループ内の計数結果を考慮し、グループ間で起きる場合、端末は計数する際にグループ間の大きさをさらに考慮する。このような方法によれば、少ないシグナリングコストで、端末の移動状態を正確に推定できるため、推定結果がより正確になり、適用範囲がより広く、エアインタフェースシグナリングがより簡単になる。
【００７０】
下記実施例４に述べるように、本発明の実施例は基地局をさらに提供し、該基地局の問題解決の原理と上記実施例２の方法と類似するため、該端末の実施について実施例２の実施を参照してもよく、重複する部分の説明が省略される。
【００７１】
＜実施例４＞
図１０は、本発明の実施例に係る基地局の構成を示す図である。図１０に示すように、該基地局は、送信部１０１を含む。
【００７２】
送信部１０１は、端末がネットワークトポロジ情報に基づいてハンドオーバ又はセル再選択がグループ間で起きるかグループ内で起きるかを決定し、決定結果に基づいて前記ハンドオーバ又はセル選択について計数し、計数結果に基づいて端末の移動状態を推定するように、ブロードキャスト又はユニキャストを介して端末にネットワークトポロジ情報を供給する。
【００７３】
ここで、ネットワークトポロジ情報は、現在のセルの上位セル及びその識別子を含む。
【００７４】
本実施例では、端末にハンドオーバ又はセル再選択がグループ間で起きるかグループ内で起きるかを認識させるために、基地局は、ブロードキャスト又はユニキャストを介して端末に関連するネットワークトポロジ情報を提供してもよい。具体的には、基地局は、現在のセルの上位セル（即ち自分をカバーするセル）がどのセルであるか、例えば自分か他のセルかを端末に通知してもよい。上位セルが自分である場合、単独して報告しなくてもよく（実際には、自分の識別子は他のプロセスにおいて取得できる）、上位セルが他のセルである場合、この上位セルの識別子をさらに報告してもよい。ここで、セルの識別子は、セルの物理識別子、又は他の類型のセル識別子であってもよい。このように、端末がハンドオーバ又はセル再選択を行う際に、目標セルと原セルとは異なる上位セルを有する場合、ハンドオーバ又はセル再選択がグループ間で起きると判断し、その他の場合、ハンドオーバ又はセル再選択がグループ内で起きると判断する。そして、実施例１の方法により端末の移動状態を推定する。
【００７５】
本発明の実施例に係る基地局は、端末にネットワークの配置情報、例えば上位セルの識別子を送信する。端末は、受信された情報に基づいて、ハンドオーバ又はセルの再選択がグループの内部に起きるかグループの間で起きるかを判断できる。グループの内部に起きる場合、端末は計数する際にグループ内の計数結果を考慮し、グループ間で起きる場合、端末は計数する際にグループ間の大きさをさらに考慮する。このような方法によれば、少ないシグナリングコストで、端末の移動状態を正確に推定できるため、推定結果がより正確になり、適用範囲がより広く、エアインタフェースシグナリングがより簡単になる。
【００７６】
本発明の実施例は、端末においてプログラムを実行する際に、コンピュータに、実施例１に記載の端末移動状態の推定方法を該端末において実行させるコンピュータ読み取り可能なプログラム、をさらに提供する。
【００７７】
本発明の実施例は、コンピュータに、実施例１に記載の端末移動状態の推定方法を端末において実行させるためのコンピュータ読み取り可能なプログラムを記録する記録媒体、をさらに提供する。
【００７８】
本発明の実施例は、基地局においてプログラムを実行する際に、コンピュータに、実施例２に記載の端末移動状態の推定方法を該基地局において実行させるコンピュータ読み取り可能なプログラム、をさらに提供する。
【００７９】
本発明の実施例は、コンピュータに、実施例２に記載の端末移動状態の推定方法を基地局において実行させるためのコンピュータ読み取り可能なプログラムを記録する記録媒体、をさらに提供する。
【００８０】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００８１】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2014532337.tif 000003
【図２】
2014532337.tif 000004
【図３】
2014532337.tif 000005
【図４】
2014532337.tif 000006
【図５】
2014532337.tif 000007
【図６】
2014532337.tif 000008
【図７】
2014532337.tif 000009
【図８】
2014532337.tif 000010
【図９】
2014532337.tif 000011
【図１０】
2014532337.tif 000012
【国際調査報告】
2014532337.tif 000013
2014532337.tif 000014
2014532337.tif 000015
2014532337.tif 000016